(57)【特許請求の範囲】
【請求項１】
フード部と、前記フード部の外面に配設されたフォロワピンとを備えた一方のコネクタハウジングと、前記フード部を収容可能なスカート部を備えるとともに前記フォロワピンに係合するカム溝を備えるレバーが装着された他方のコネクタハウジングとを備え、前記レバーの変位に伴って前記フォロワピンが前記カム溝に沿って変位することにより両コネクタハウジングが嵌合・離脱されるようにしたコネクタであって、
前記他方のコネクタハウジングとして、前記他方のコネクタハウジングに対して回動可能に組み付けられる回転レバーを備えたものと、前記他方のコネクタハウジングに対して前記両コネクタハウジングの嵌合方向と交叉する方向に進退可能に組み付けられるスライドレバーを備えたものとのいずれかが前記一方のコネクタハウジングに対して選択的に嵌合可能であり、
かつ、前記フォロワピンは前記一方のコネクタハウジングの外面において長辺側の中央位置に一対が設けられ、このフォロワピンが前記回転レバーおよび前記スライドレバーの双方に共用化され、
前記フード部の外面において前記フォロワピンの根元位置には、前記両コネクタハウジングの嵌合方向に沿って突出する傾動規制部が設けられ、前記スカート部の内面には、前記傾動規制部に係合して前記両コネクタハウジングの嵌合時の姿勢を矯正する傾動規制受け部が設けられていることを特徴とするコネクタ。
【発明の詳細な説明】
【０００１】
【発明の属する技術分野】
本発明は、コネクタに関するものである。
【０００２】
【従来の技術】
従来、多極のコネクタのように高嵌合力が必要とされるコネクタにおいては、嵌合力を助勢するためにレバー式のものが採用されている。このようなコネクタとしては、回転レバーを備えた回転式のものと、スライドレバーを備えたスライド式のものとの２種類がある。
【０００３】
回転式のコネクタ１００は、図１３に示すように、例えば雌側のコネクタハウジング１０１にカム溝１０２を設けた回転レバー１０３を回動可能に設けるとともに、雄側のコネクタハウジング１０４にカム溝１０２に嵌合するフォロワピン１０５を設けた構造であって、回転レバー１０３の回動に伴ってフォロワピン１０５がカム溝１０２内を移動することにより、両ハウジング１０１、１０４が嵌合・離脱されるようになっている。
【０００４】
また、スライド式のコネクタ１１０は、図１４に示すように、例えば雌側のコネクタハウジング１１１にカム溝１１２を設けたスライドレバー１１３を嵌合方向とは交差する方向に進退可能に設けるとともに、雄側のコネクタハウジング１１４にカム溝１１２に嵌合するフォロワピン１１５を設けた構造であって、スライドレバー１１３の進退に伴ってフォロワピン１１５がカム溝１１２内を移動することにより、両ハウジング１１１、１１４が嵌合・離脱されるようになっている。
【０００５】
このようなコネクタを自動車等の電気機器に採用する場合には、例えば回転レバー１０３の回動スペースがあるか、スライドレバー１１３を押し出すスペースがあるかなど、コネクタ周りの状態を勘案して、どちらの方式を採用するかを決定している。
【０００６】
【発明が解決しようとする課題】
ところで、スライド式のコネクタ１１０では、嵌合操作力を低減するために、スライドレバー１１３に設けるカム溝１１２の距離を長くできる長辺側にフォロワピン１１５を設けている。さらに、このように長辺側にフォロワピン１１５を設けることによって両ハウジング１１１、１１４の嵌合面が傾き易くなるのを回避するために、フォロワピン１１５およびカム溝１１２を２対ずつ設けるようにしている。一方、回転式のコネクタ１００では、フォロワピン１０５およびカム溝１０２は、それぞれ一対でなければならない。このため、両コネクタハウジング１０１、１０４の嵌合面が互いに斜めに傾くのを防ぐ点で有利になるよう、雄側コネクタハウジング１０１の短辺側にフォロワピン１０５を設けるのが通常である。
【０００７】
このように、レバー１０３、１１３の方式により、フォロワピン１０５、１１５の位置や個数等の最適な仕様が異なるため、選択されたレバーの方式に合わせてハウジングの設計を変更しなければならない。このため、製造工程が複雑化し、コストが増大していた。
【０００８】
本発明は、上記した事情に鑑みてなされたものであり、その目的は、レバーの方式に関わらず、フォロワピンを設けている側のコネクタハウジングの仕様を共通化できるコネクタを提供することにある。
【０００９】
上記課題を解決するために請求項１の発明に係るコネクタは、フード部と、前記フード部の外面に配設されたフォロワピンとを備えた一方のコネクタハウジングと、前記フード部を収容可能なスカート部を備えるとともに前記フォロワピンに係合するカム溝を備えるレバーが装着された他方のコネクタハウジングとを備え、前記レバーの変位に伴って前記フォロワピンが前記カム溝に沿って変位することにより両コネクタハウジングが嵌合・離脱されるようにしたコネクタであって、前記他方のコネクタハウジングとして、前記他方のコネクタハウジングに対して回動可能に組み付けられる回転レバーを備えたものと、前記他方のコネクタハウジングに対して前記両コネクタハウジングの嵌合方向と交叉する方向に進退可能に組み付けられるスライドレバーを備えたものとのいずれかが前記一方のコネクタハウジングに対して選択的に嵌合可能であり、かつ、前記フォロワピンは前記一方のコネクタハウジングの外面において長辺側の中央位置に一対が設けられ、このフォロワピンが前記回転レバーおよび前記スライドレバーの双方に共用化され、前記フード部の外面において前記フォロワピンの根元位置には、前記両コネクタハウジングの嵌合方向に沿って突出する傾動規制部が設けられ、前記スカート部の内面には、前記傾動規制部に係合して前記両コネクタハウジングの嵌合時の姿勢を矯正する傾動規制受け部が設けられていることを特徴とする。
【００１３】
【発明の作用、および発明の効果】
請求項１の発明によれば、フォロワピンは一方のコネクタハウジングの外面に１対が設けられるとともに、他方のコネクタハウジングに取り付けられる回転レバーおよびスライドレバーが、このフォロワピンを共用する。これにより、レバーの方式に関わらず一方のコネクタハウジングを共用化でき、製造工程の簡素化やコストの削減を図ることができる。
【００１４】
また、フォロワピンがフード部の外面において長辺側の中央位置に一対配設されるとともに、フード部の外面においてフォロワピンの根元位置には、両コネクタハウジングの嵌合方向に沿って突出する傾動規制部が設けられ、スカート部の内面には、この傾動規制部に係合可能な傾動規制受け部が設けられている。
【００１５】
ここで、一方のコネクタハウジングを、回転式およびスライド式の両者に共用しようとする場合には、回転式のコネクタの要請によりフォロワピンを一対にするとともに、そのフォロワピンをコネクタハウジングの短辺側と長辺側のどちらに設けるべきかという問題が生じる。すなわち、短辺側に設ければ、スライドレバーにおいてカム溝が短くなりすぎ、嵌合操作力を低減することができなくなる場合がある。一方、長辺側に合わせれば、フォロワピンが１対であるために、嵌合時に傾き易くなってしまう。
【００１６】
しかし、フォロワピンをフード部の外面において長辺側の中央位置に一対配設するとともに、嵌合時の両コネクタハウジングの姿勢を矯正する傾動規制部および傾動規制受け部を設けることによって、嵌合時のコネクタハウジングの傾きという問題を回避しつつ、コネクタハウジングの共用化を実現することができる。
【００１７】
また、両コネクタハウジングが互いに傾きやすい長辺側で両ハウジングの姿勢を矯正することができ、嵌合時の両コネクタハウジングの傾きを効果的に防止することができる。
【００１８】
さらに、嵌合時に応力が最も大きく掛かるフォロワピンの根元位置に傾動規制部を設けることにより、回転式コネクタ、スライド式コネクタの双方において、嵌合時の両コネクタハウジングの傾きを効果的に防止することができる。
【００１９】
【発明の実施の形態】
以下、本発明を具体化したコネクタの一実施形態を、図１〜図１２を参照しつつ詳細に説明する。
【００２０】
本実施形態のコネクタ１は、スライダ４０（本発明のスライドレバーに該当する）、または回転レバー７０によるてこ機能を利用して嵌合・離脱を助勢する形式のものであって、２種類の雌側コネクタハウジング２０、５０（本発明の他方のハウジングに該当する。以下、雌ハウジング２０、５０という）と、この雌ハウジング２０、５０のどちらとも嵌合可能な雄側コネクタハウジング１０（本発明の一方のハウジングに該当する。以下、雄ハウジング１０という）とで構成されている。なお、以下の説明では、各ハウジング１０、２０、５０が相手側と嵌合する側をそれぞれ前方として説明する。
【００２１】
＜雄ハウジング１０の構成＞
雄ハウジング１０は合成樹脂製であって、図示しない電気機器の壁面から前方に突設されるフード部１２を備えている（図１〜図３参照）。このフード部１２は正面から見て、横長のほぼ長方形をなす筒状に形成されている。
【００２２】
この雄ハウジング１０には、先端がタブ状をなす大小２種類の雄側端子金具（大雄端子１３Ｌと小雄端子１３Ｓ）が装着されている。大雄端子１３Ｌは、フード部１２の奥面における正面から見た右端の領域に、図示４本が格子状に配されて突設されている。また、残りの領域には、小雄端子１３Ｓが、図示１４本ずつの列となって３段に分かれて突設されている。中央と下の段の小雄端子１３Ｓの列の間は、中央と上の段の小雄端子１３Ｓの列の間に比べて間隔が広く開けられている。
【００２３】
雄ハウジング１０には、詳しくは後記する雌ハウジング２０、５０との嵌合に際してこじりを防止するためのリブが形成されている。まず、フード部１２の奥面における上記した中央と下の段の小雄端子１３Ｓの列の間には、これらの列のほぼ全長にわたる長さを持った横リブ１４が、小雄端子１３Ｓの列と平行姿勢で突設されている。横リブ１４の下面には、前後方向を向いた図示５本の補強リブ１４Ａが間隔を開けて形成されている。一方、大雄端子１３Ｌの間を仕切るように十字リブ１５が立てられており、この十字リブ１５は根元側が十字に組まれ、その中心部から横向きの姿勢の突片部１５Ａが前方に突設された形状となっている。
【００２４】
フード部１２の外周面１２Ａには、フォロワピン１６が立てられている。このフォロワピン１６は、相手側の雌ハウジング２０、５０が回転式、スライド式のどちらであっても組み付け可能なように、フード部１２の上下両面、すなわち長辺側における前縁に寄った位置で、横幅方向の中央部に、１対が設けられている。これらのフォロワピン１６の突出先端には、根元側よりも径大となる円盤状のフランジ部１６Ａがそれぞれ設けられている。
【００２５】
また、このフォロワピン１６の根元位置には、前後方向に渡ってすじ状のガイドリブ１７（本発明の傾動規制部に該当する）が突設されている。ガイドリブ１７の突出高さは、フォロワピン１６よりもやや小さくされ、その横幅はフォロワピン１６の直径よりもやや大きくされている。また、フード部１２の外周面において短辺側にも、正面から見た左側に２本、右側に１本の計３本の周面リブ１８が形成され、これにより、雄ハウジング１０は、左右非対称の形状となっている。
【００２６】
＜雌ハウジング２０の構成＞
本実施形態の２種類の雌ハウジング２０、５０のうち、雌ハウジング２０は、スライダ４０を備えたものである（図４、図５参照）。
【００２７】
雌ハウジング２０は合成樹脂製であって、上記した雄ハウジング１０のフード部１２内に嵌合可能な扁平なタワー部２１の回りに、フード部１２の外側に嵌合可能なスカート部２２が設けられた形状となっている。
【００２８】
タワー部２１では、前止まり部２１Ａが予め別ピースとして形成され、後付けにより一体結合されており、全体として横長のブロック状をなしている。このタワー部２１内には、その正面から見た左端の領域に、４個の大キャビティ２３Ｌが格子状の配置で形成され、残りの領域には、小キャビティ２３Ｓが１４個ずつの列となって３段に分かれて形成されている。
【００２９】
大キャビティ２３Ｌ内には、詳細には図示しないが、太い電線の端末に固着された大雌端子が後方から挿入され、その底面に設けられた大ランスにより一次係止されている。一方、小キャビティ２３Ｓ内には、細い電線の端末に固着された小雌端子が後方から挿入され、天井面に設けられた小ランスにより一次係止されるようになっている。また、タワー部２１には側面からリテーナが挿入可能とされ、本係止位置まで押し込まれることで、上記した大小の雌端子がそれぞれ二重係止されるようになっている。
【００３０】
また、既述のように雄ハウジング１０側にこじり防止用の横リブ１４、十字リブ１５が突設されていることに対応して、雌ハウジング２０にはこれらを嵌める溝が形成されている。詳細には、タワー部２１の前面における４個の大キャビティ２３Ｌの形成領域に、これらの大キャビティ２３Ｌの間に位置するようにして十字リブ１５が緊密に嵌合される十字溝２４が形成されている。一方、同じくタワー部２１の前面における中央と下の段の小キャビティ２３Ｓの列の間には、横リブ１４が緊密に嵌合される横溝２５が形成されている。
【００３１】
一方のスカート部２２は、横長のほぼ長方形をなす筒状をなし、雄ハウジング１０のフード部１２の外側にほぼ緊密に嵌合されるように、一回り大きく形成されている。このスカート部２２の開口縁の回りには、外形が正面から見て横長の長方形をなす前面板２６が形成されているとともに、スカート部２２の奥縁の回りにも、同じ外形形状をなす後面板２７が形成されている。また、スカート部２２の上面の上方と、下面の下方とには、それぞれ前面板２６と後面板２７の突出縁の間にわたされるようにしてカバー部２８が形成されており、両カバー部２８とスカート部２２の上下の面との間に、それぞれ後述するスライダ４０の摺動板４１が挿通される挿通路２９が形成されている。したがってこの挿通路２９は、左右両面に開口しているのに対して、前後両面は塞がれていて、左右の側面のうち任意の方向から、後述のスライダ４０を差し込み装着することが可能となっている。
【００３２】
上下のカバー部２８には、その後縁に沿った位置の長さ方向の中央部に、後述のスライダ４０に設けられた仮ロック片４６が嵌合可能な係止溝３０が切り欠き形成されている。また、カバー部２８の左右両端部には、それぞれスライダ４０の掴み部４８を嵌めて逃がす逃がし溝３１が形成されている。
【００３３】
また、スカート部２２には、上下１対のガイド溝３２（本発明の傾動規制受け部に該当する）が設けられている。このガイド溝３２は、スカート部２２の横幅方向の中央部を前後方向に渡って切り欠くことにより形成されており、雄ハウジング１０のガイドリブ１７を丁度収容可能とされている。また、上下の挿通路２９の前面板２６には、その横幅方向の中央部に、フォロワピン１６の進入を許容する通孔３３が開口されている。
【００３４】
なお、スカート部２２の内周面２２Ａにおいて短辺側にも、雄ハウジング１０の周面リブ１８を収容可能な周面溝３４が、前後方向に渡って形成されている。
【００３５】
この雌ハウジング２０には、スライダ４０が装着されるようになっている。スライダ４０は、両ハウジング１０、２０と同様に合成樹脂製であって、一対の摺動板４１の基端側同士を連結板４２で繋いだ門形形状に形成され、両摺動板４１を雌ハウジング２０の上下の挿通路２９に挿通しつつ、左右いずれかの側面側から差し込み装着されるようになっている。
【００３６】
両摺動板４１には、カム溝４３が形成されている。カム溝４３は、摺動板４１の先端側から長さ方向の中央部にわたり、幅方向の後縁に向けて次第に傾いた傾斜状に形成されている。このカム溝４３の始端部４３Ａには、摺動板４１の前縁に直角に開口した入口４４が連設されている。このカム溝４３には、全長にわたってフォロワピン１６のフランジ部１６Ａを内側で受ける張出受部４９が設けられている。また、カム溝４３の入口４４から少し中に入った部分には、傾斜が急となった引き込み部４５が形成されている。これは、フォロワピン１６がカム溝４３の入口４４から進入した場合に、引き続いて引き込み部４５の傾斜部分を押圧することによって、スライダ４０を所定寸法移動させるように機能する。
【００３７】
スライダ４０の両摺動板４１には、カム溝４３の長さ方向のほぼ中央部に対応する位置で、かつ後縁に寄った位置に、仮ロック片４６が形成されている。この仮ロック片４６は、摺動板４１の基端側を向いて片持ち状に突設されて撓み変形可能となっており、突出端の外面側に突部４７が形成されている。なお、突部４７の背面側はテーパ面とされている。この突部４７は、カバー部２８の係止溝３０内に移動自由に嵌合可能とされている。
【００３８】
また、スライダ４０の両摺動板４１における基端側の外面には、スライダ４０を抜き差し操作する際に利用する掴み部４８が設定されている。
【００３９】
＜雌ハウジング５０の構成＞
本実施形態のもう一方の雌ハウジング５０は、回転レバー７０を備えたものである（図９参照）。
【００４０】
雌ハウジング５０の本体部５１は合成樹脂製であって、上記した雄ハウジング１０のフード部１２内に嵌合可能な扁平なタワー部（図示せず）の回りに、フード部１２の外側に嵌合可能なスカート部５２が設けられた形状となっている。なお、タワー部は、上記した雌ハウジング２０に備えられたものと同様の構造であるため、説明を省略する。
【００４１】
スカート部５２は、タワー部の後部周面から段付き状に外方へ張り出してから前方へ突出して形成されている。このスカート部５２の後端部には、後に説明するカバー６０を雌ハウジング５０に取り付けるための取付構造が設けられている。スカート部５２における上下の長辺側は、それぞれ外側に段付き状に膨出して形成されるとともに、後方に開放する袋状のレバー収容部５３が形成されており、その内側に回転レバー７０を収容可能とされている。
【００４２】
また、スカート部５２には、上下１対のガイド溝５４（本発明の傾動規制受け部に該当する）が設けられている。このガイド溝５４は、スカート部５２の横幅方向の中央部を前後方向に渡って切り欠くことにより形成されており、雄ハウジング１０のガイドリブ１７を丁度収容可能とされている。また、レバー収容部５３の前壁部５５には、その横幅方向の中央部に、フォロワピン１６の進入を許容する通孔５６が開口されている。
【００４３】
カバー６０は、前面と一方の側面（図９において右側）とが連続して開口する箱形に形成されており、このうち前側の開口部分が雌ハウジング５０の後面側を覆うようにして取り付けられるようになっている。雌ハウジング５０内のキャビティから後方へ導出される電線は、側方へ略９０度屈曲された状態で一纏めにされ、その後側から取り付けられるカバー６０の側面側の開口部分から外部へ引き出されるようになっている。カバー６０の上下壁の外面には、回転レバー７０を取り付けるための一対の軸突部６１が上下方向に突出して設けられている。これらの軸突部６１は、カバー６０の前端において長手方向のほぼ中央に配されている。この軸突部６１は、円柱状に形成されるとともに、その突出端には、左右に突出する一対の突起が設けられている。
【００４４】
回転レバー７０は、一対の脚部７１の端部が操作部７２によって連結されることで門形に形成されている。両脚部７１には、カバー６０の軸突部６１に嵌合可能な軸孔７８が貫通して設けられている。この軸孔７８は、軸突部６１とほぼ同一形状に形成されており、その上側には、回転レバー７０が回動変位される際に軸突部６１の突起を逃がせるように円形孔が形成されている。回転レバー７０は、この両脚部７１によってカバー６０を上下から挟み込むようにして装着され、軸孔７８にカバー６０の軸突部６１が嵌めつけられることで、軸突部６１を中心に回動変位可能とされている。そして、カバー６０が本体部５１に取り付けられた状態では、カバー６０の外面とスカート部５２の外面（レバー収容部５３の内周面）とが連続した平面を形成するようになっていて、回転レバー７０の脚部７１は、カバー６０の前端から前方へ突出した部分がレバー収容部５３内に回動自在に収容されている。
【００４５】
回転レバー７０の両脚部７１には、雄ハウジング１０のフォロワピン１６が進入可能な弧状のカム溝７３が設けられている。このカム溝７３には、全長にわたってフォロワピン１６のフランジ部１６Ａを内側で受ける張出受部７４が設けられるとともに、その入口７５部分が張出受部７４に対向して設けられた架橋部７６によって連結されている。
【００４６】
また、回転レバー７０には所定位置に２対の保持突起７７が形成されている。この保持突起７７は、回転レバー７０におけるカム溝７３の入口７５が本体部５１の通孔５６と整合する初期位置、および回転レバー７０が回動して両ハウジング１０、５０の嵌合が完了する完了位置にあるときに、それぞれカバー６０に設けられた図示しない被保持部に係合することで、所定以上の力を加えない限り回転レバー７０が回動しないように保持している。
【００４７】
＜雄ハウジング１０と雌ハウジング２０との嵌合＞
本実施形態の雄ハウジング１０と雌ハウジング２０とを嵌合させる際には、まず、雌ハウジング２０にスライダ４０が予め装着される（図４参照）。スライダ４０は例えば雌ハウジング２０の右側面側から取り付けられて、一旦前進位置まで押し込まれる。すなわち、スライダ４０の摺動板４１が仮ロック片４６を撓み変形させつつ挿通路２９内に押し込まれ、途中で仮ロック片４６が復元変形しつつ係止溝３０に嵌まり込む。そして、スライダ４０は連結板４２が雌ハウジング２０の左側面に当たる位置までさらに押し込まれる。
【００４８】
雌ハウジング２０は、上記のようにスライダ４０を前進位置に装着した状態で、雄ハウジング１０との嵌合作業現場へと搬入される。そして、両ハウジング１０、２０を嵌合することに先立ち、スライダ４０が後退位置へ戻される（図６参照）。その場合は、スライダ４０の上下の掴み部４８を指で挟んで引っ張ると、仮ロック片４６が係止溝３０に沿って戻る。そして、仮ロック片４６の突部４７が、係止溝３０における右端縁に係止することで、スライダ４０が後退位置に保持された状態となる。この後退位置では、カム溝４３の入口４４が雌ハウジング２０の通孔３３に整合した状態となる。
【００４９】
次いで、雄ハウジング１０のフード部１２を雌ハウジング２０のスカート部２２内に進入させる。これにより、雄ハウジング１０側のフォロワピン１６が通孔３３を通ってカム溝４３の入口４４に進入し、さらに雄ハウジング１０を押し込むと、フォロワピン１６が引き込み部４５の奥側の側縁を押すことにより、その傾斜に倣ってスライダ４０が前進位置に向けて所定寸法移動する。これにより、フォロワピン１６がカム溝４３の始端部４３Ａ側に入り込み、また、ガイドリブ１７の前端部１７Ａがガイド溝３２に嵌まり込んだ状態となる。
【００５０】
続いて、スライダ４０を前進位置に向けて押し込む（図７参照）。これにより、主にカム溝４３の手前側の側縁がフォロワピン１６を押すことによって、雄ハウジング１０が次第に雌ハウジング２０側に押し込まれる。スライダ４０が前進位置まで押し込まれると、フォロワピン１６もカム溝４３の終端部４３Ｂに移動し、これにより、雄雌のハウジング１０，２０が正規に嵌合された状態となる（図８参照）。
【００５１】
このとき、フォロワピン１６はフード部１２の上下に１対のみが設けられており、このフォロワピン１６がカム溝４３を移動する力のみによって両ハウジング１０、２０の嵌合が行われるため、嵌合面が互いに傾きやすくなると考えられる。しかし、フード部１２には前後方向に渡って突設されたガイドリブ１７が設けられており、スライダ４０の押圧に伴って、このガイドリブ１７がガイド溝３２に進入していく。このため、両ハウジング１０、２０が互いに傾こうとした場合であっても、ガイドリブ１７の傾きがガイド溝３２の内壁によって規制されることによって、両ハウジング１０、２０の姿勢が矯正される。これにより、両ハウジング１０、２０を真直ぐに組み付けることができる。
【００５２】
＜雄ハウジング１０と雌ハウジング５０との嵌合＞
本実施形態の雄ハウジング１０と雌ハウジング５０とを嵌合させる際には、まず、回転レバー７０を初期位置に保持した状態で、雄ハウジング１０のフード部１２を雌ハウジング５０のスカート部５２内に進入させ、フォロワピン１６が通孔５６を通過した後、カム溝７３の入口７５に進入される程度の深さまで嵌合させる（図１０参照）。
【００５３】
続いて、初期位置の回転レバー７０を、保持突起７７の被保持部への係止を解除しつつ、図１０に示す矢線方向に沿って回動操作する。回転レバー７０が回動変位されるのに伴って、フォロワピン１６はカム溝７３に沿ってその奥方へ移動されるとともに、両コネクタ１０、５０は互いに嵌合が深まる方向に引き寄せられる（図１１参照）。
【００５４】
そして、回転レバー７０が完了位置まで回動されると、フォロワピン１６がカム溝７３の終端部７３Ｂに達するとともに、両コネクタ１０、５０が正規の嵌合深さに達する（図１２参照）。このとき、回転レバー７０の保持突起７７がカバー６０側の被保持部に係止されることで、回転レバー７０が完了位置から回動不能に保持され、もって両コネクタ１０、５０は正規の嵌合状態から離間不能に保持される。
【００５５】
このとき、フォロワピン１６はフード部１２において長辺側の上下に設けられているため、嵌合面が互いに傾きやすくなると考えられる。しかし、フード部１２には前後方向に渡って突設されたガイドリブ１７が設けられており、回転レバー７０の回動に伴って、このガイドリブ１７がガイド溝５４に進入していく。このため、両ハウジング１０、５０が互いに傾こうとした場合であっても、ガイドリブ１７の傾きがガイド溝５４の内壁によって規制されることによって、両ハウジング１０、５０の姿勢が矯正される。これにより、両ハウジング１０、５０を真直ぐに組み付けることができる。
【００５６】
以上のように本実施形態によれば、雄ハウジング１０においてフード部１２の外周面１２Ａには、上下両面、すなわち長辺側において横幅方向の中央部に、１対のフォロワピン１６を設けて、このフォロワピン１６が回転レバー７０およびスライダ４０の双方に共用化されるようにした。同時に、このフォロワピン１６の根元位置に、前後方向に渡ってすじ状のガイドリブ１７を突設させ、雌ハウジング２０、５０にはこのガイドリブを受け入れ可能なガイド溝３２、５４を設けた。これにより、嵌合時に雄ハウジング１０と雌ハウジング２０、５０との嵌合面が傾くという問題を回避しつつ、雄ハウジング１０の共用化を実現し、製造工程の簡素化やコストの削減を図ることができる。
【００５７】
また、ガイドリブ１７を、フード部１２においてフォロワピン１６の根元位置に設ける構成とした。このように、嵌合時に応力が最も大きく掛かるフォロワピン１６の根元位置にガイドリブ１７を設けることにより、回転式コネクタ、スライド式コネクタの双方において、嵌合時に雄ハウジング１０と雌ハウジング２０、５０との嵌合面が傾くことをより効果的に防止することができる。
【００５８】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態においては、雄ハウジング１０側にフォロワピンを設け、雌ハウジング２０、５０側にスライダ４０または回転レバー７０を設ける構成としたが、雄ハウジング側にスライドレバーまたは回転レバーを設け、雌ハウジング側にフォロワピンを設ける構成としてもよい。
【図面の簡単な説明】
【図１】  本実施形態における雄ハウジングの正面図
【図２】  本実施形態における雄ハウジングの上面図
【図３】  本実施形態における雄ハウジングの側面図
【図４】  本実施形態におけるスライダを備えた雌ハウジングを側面側から見たときの部分破断図
【図５】  本実施形態におけるスライダを備えた雌ハウジングの正面図
【図６】  雄ハウジングとスライダを備えた雌ハウジングとの嵌合開始時の状態を側面側から見た部分破断図
【図７】  雄ハウジングとスライダを備えた雌ハウジングとの嵌合途中の状態を側面側から見た部分破断図
【図８】  雄ハウジングとスライダを備えた雌ハウジングとの嵌合完了時の状態を側面側から見た部分破断図
【図９】  本実施形態における回転レバーを備えた雌ハウジングを側面側から見たときの部分破断図
【図１０】  雄ハウジングと回転レバーを備えた雌ハウジングとの嵌合開始時の状態を側面側から見た部分破断図
【図１１】  雄ハウジングと回転レバーを備えた雌ハウジングとの嵌合途中の状態を側面側から見た部分破断図
【図１２】  雄ハウジングと回転レバーを備えた雌ハウジングとの嵌合完了時の状態を側面側から見た部分破断図
【図１３】  従来の回転式コネクタの斜視図
【図１４】  従来のスライド式コネクタの斜視図
【図１】
0003902452.tif 000002
【図２】
0003902452.tif 000003
【図３】
0003902452.tif 000004
【図４】
0003902452.tif 000005
【図５】
0003902452.tif 000006
【図６】
0003902452.tif 000007
【図７】
0003902452.tif 000008
【図８】
0003902452.tif 000009
【図９】
0003902452.tif 000010
【図１０】
0003902452.tif 000011
【図１１】
0003902452.tif 000012
【図１２】
0003902452.tif 000013
【図１３】
0003902452.tif 000014
【図１４】
0003902452.tif 000015